(57)【要約】【課題】  信号線により伝送されるオーディオ信号中に混入するノイズを効果的に除去することが可能なオーディオケーブルを提供する。【解決手段】  オーディオケーブル１００には、高周波ノイズフィルタ１１０及び共振回路１２０が設けられている。高周波ノイズフィルタ１１０は、信号線１３０の周囲を巻回したコイル１１１と、複数のコンデンサ１１２ａ〜１１２ｄからなるコンデンサ並列回路１１２とが直列接続されて構成されており、共振回路１２０は、信号線１３０の周囲を巻回したコイル１２１と、複数のコンデンサ１２２ａ〜１２２ｅからなるコンデンサ並列回路１２２とが直列接続されて構成されている。【選択図】    図１
2011018529.tif 000002
【特許請求の範囲】
【請求項１】
音声に係る電気信号を伝送する信号線を備え、２つのオーディオ機器間を接続するオーディオケーブルであって、
コイルと、
互いに並列接続された複数のコンデンサを有し、前記コイルに直列接続されたコンデンサ並列回路と、
を具備する、前記信号線に接続された高周波ノイズフィルタを備える、オーディオケーブル。
【請求項２】
前記コイルは、前記信号線の周囲に巻回されている、請求項１に記載のオーディオケーブル。
【請求項３】
前記コイルは、絶縁層によって被覆されていない前記信号線に直接巻回されている、請求項２に記載のオーディオケーブル。
【請求項４】
前記コイルは、単層コイルである、請求項２又は３に記載のオーディオケーブル。
【請求項５】
第２のコイルと、
互いに並列接続された複数のコンデンサを有し、前記第２のコイルに直列接続された第２のコンデンサ並列回路と、
を具備する共振回路をさらに備え、
前記高周波ノイズフィルタと前記共振回路が接続されている、請求項１乃至４のいずれかに記載のオーディオケーブル。
【請求項６】
前記第２のコイルは、前記信号線の周囲に巻回されている、請求項５に記載のオーディオケーブル。
【請求項７】
前記共振回路は、その一端が前記信号線に接続されており、その他端が接地されており、
前記高周波ノイズフィルタは、その両端が接地されている、請求項６に記載のオーディオケーブル。
【発明の詳細な説明】
【技術分野】
【０００１】
本発明は、２つのオーディオ機器間で音声に係る電気信号を伝送するためのオーディオケーブルに関する。
【背景技術】
【０００２】
例えば、プリアンプ、メインアンプ、ＣＤプレーヤ、ＦＭチューナー等のオーディオ機器間を接続するオーディオケーブルにより伝送される音声に係るアナログ電気信号（以下、「オーディオ信号」という。）にノイズが混入すると、オーディオ機器によって再生される音声の音質が損なわれる。
【０００３】
特許文献１には、右チャンネル用２芯シールドケーブルと、左チャンネル用２芯シールドケーブルとをより合わせてなるオーディオ用接続ケーブルが開示されている。オーディオ接続用ケーブルによって２つのオーディオ機器を接続すると、右チャンネル用アース線と一方のオーディオ機器のグランド及び左チャンネル用アース線と他方のオーディオ機器のグランドという一巡したアース線ループが形成される。このアース線ループに外来電磁界がある場合には、アース線ループに不要なノイズ電流が流れて音質を損なう。特許文献１に開示されたオーディオ用接続ケーブルでは、右チャンネル用２芯シールドケーブルと、左チャンネル用２芯シールドケーブルとがより合わされることにより、外来の電磁界の影響を打ち消すことが可能となり、オーディオ機器内のアース線に不要なノイズ電流が流れるのを抑止することができる。
【先行技術文献】
【特許文献】
【０００４】
【特許文献１】特開平５−１７４６４０号公報
【発明の概要】
【発明が解決しようとする課題】
【０００５】
しかしながら、上記特許文献１に開示されているオーディオ用接続ケーブルは、２つのオーディオ機器、右チャンネル用２芯シールドケーブル、及び左チャンネル用２芯シールドケーブルによって形成されるアース線ループに流れる不要なノイズ電流を除去するものであり、オーディオ用接続ケーブルに内蔵される信号線により伝送されるオーディオ信号中に混入するノイズを効果的に除去することはできない。
【０００６】
本発明は斯かる事情に鑑みてなされたものであり、その主たる目的は、上記課題を解決することができるオーディオケーブルを提供することにある。
【課題を解決するための手段】
【０００７】
上述した課題を解決するために、本発明の一の態様のオーディオケーブルは、音声に係る電気信号を伝送する信号線を備え、２つのオーディオ機器間を接続するオーディオケーブルであって、コイルと、互いに並列接続された複数のコンデンサを有し、前記コイルに直列接続されたコンデンサ並列回路と、を具備する、前記信号線に接続された高周波ノイズフィルタを備える。
【０００８】
この態様においては、前記コイルが、前記信号線の周囲に巻回されていることが好ましい。
【０００９】
また、上記態様においては、前記コイルが、絶縁層によって被覆されていない前記信号線に直接巻回されていることが好ましい。
【００１０】
また、上記態様においては、前記コイルが、単層コイルであることが好ましい。
【００１１】
また、上記態様においては、前記オーディオケーブルが、第２のコイルと、互いに並列接続された複数のコンデンサを有し、前記第２のコイルに直列接続された第２のコンデンサ並列回路と、を具備する共振回路をさらに備え、前記高周波ノイズフィルタと前記共振回路が接続されていることが好ましい。
【００１２】
また、上記態様においては、前記第２のコイルが、前記信号線の周囲に巻回されていることが好ましい。
【００１３】
また、上記態様においては、前記共振回路が、その一端が前記信号線に接続されており、その他端が接地されており、前記高周波ノイズフィルタが、その両端が接地されていることが好ましい。
【発明の効果】
【００１４】
本発明に係るオーディオケーブルによれば、信号線により伝送されるオーディオ信号中に混入するノイズを効果的に除去することが可能となる。
【図面の簡単な説明】
【００１５】
【図１】実施の形態１に係るオーディオケーブルの構成を示す回路図。
【図２】実施の形態１に係るコイルの構成を示すオーディオケーブルの部分側面図。
【図３】実施の形態２に係るオーディオケーブルの構成を示す回路図。
【発明を実施するための形態】
【００１６】
以下、本発明の好ましい実施の形態を、図面を参照しながら説明する。
【００１７】
（実施の形態１）
本実施の形態に係るオーディオケーブルは、信号線を巻回するコイルと複数のコンデンサからなるコンデンサ並列回路とが直列接続された高周波ノイズフィルタと、信号線を巻回する第２のコイルと複数のコンデンサからなる第２のコンデンサ並列回路とが直列接続された共振回路とを具備するノイズフィルタを備え、当該ノイズフィルタによって、信号線によって伝送されるオーディオ信号からノイズを除去するものである。
【００１８】
図１は本実施の形態に係るオーディオケーブルの構成を示す回路図である。図に示すように、本実施の形態に係るオーディオケーブル１００は、信号線１３０と、ノイズフィルタ１４０とを備えており、ノイズフィルタ１４０は、高周波ノイズフィルタ１１０と、共振回路１２０とを備えている。
【００１９】
高周波ノイズフィルタ１１０は、コイル１１１と、コンデンサ並列回路１１２とを具備している。コンデンサ並列回路１１２は、複数のコンデンサ１１２ａ，１１２ｂ，１１２ｂ，１１２ｃ，１１２ｃ，１１２ｃ，１１２ｄが並列接続されて構成されている。かかるコンデンサ並列回路１１２はコイル１１１と直列接続されている。またコイル１１１は、後述するように信号線１３０を巻回している。
【００２０】
コンデンサ並列回路１１２に含まれるコンデンサ１１２ａは、静電容量が０．０００１μＦのコンデンサである。また、コンデンサ１１２ｂの静電容量は０．００１μＦであり、コンデンサ１１２ｃの静電容量は０．０１μＦであり、コンデンサ１１２ｄの静電容量は０．１μＦである。コンデンサ並列回路１１２は、１つのコンデンサ１１２ａと、２つのコンデンサ１１２ｂと、３つのコンデンサ１１２ｃと、１つのコンデンサ１１２ｄとによって構成されている。
【００２１】
共振回路１２０は、コイル１２１と、コンデンサ並列回路１２２とを具備している。コンデンサ並列回路１２２は、複数のコンデンサ１２２ａ，１２２ｂ，１２２ｂ，１２２ｃ，１２２ｃ，１２２ｃ，１２２ｃ，１２２ｄ，１２２ｄ，１２２ｄ，１２２ｄ，１２２ｄ，１１２ｅ，１１２ｅが並列接続されて構成されている。かかるコンデンサ並列回路１２２はコイル１２１と直列接続されている。またコイル１２１は、後述するように信号線１３０を巻回している。
【００２２】
コンデンサ並列回路１２２に含まれるコンデンサ１２２ａの静電容量は０．０００１μＦであり、コンデンサ１２２ｂの静電容量は０．００１μＦであり、コンデンサ１２２ｃの静電容量は０．０１μＦであり、コンデンサ１２２ｄの静電容量は０．１μＦであり、コンデンサ１２２ｅの静電容量は１μＦである。コンデンサ並列回路１２２は、１つのコンデンサ１２２ａと、２つのコンデンサ１２２ｂと、４つのコンデンサ１２２ｃと、５つのコンデンサ１２２ｄと、２つのコンデンサ１２２ｅとによって構成されている。
【００２３】
図１に示すように、共振回路１２０のコイル１２１の一端は、信号線１３０に接続されている。また、コイル１２１の他端はコンデンサ並列回路１２２の一端に接続されている。
【００２４】
また、共振回路１２０のコンデンサ並列回路１２２の他端は、高周波ノイズフィルタ１１０のコンデンサ並列回路１１２の一端に接続されている。このコンデンサ並列回路１１２，１２２の中間部分は接地されている。さらに、コンデンサ並列回路１１２の他端は、コイル１１１の一端に接続されており、コイル１１１の他端が接地されている。
【００２５】
ここで、高周波ノイズフィルタ１１０の構成について詳細に説明する。図２は、コイル１１１の構成を示すオーディオケーブル１００の部分側面図である。図２に示すように、オーディオケーブル１００は、信号線１３０に加え、アース線１３２を具備している。信号線１３０は＋の信号線であり、アース線１３２は−の信号線である。信号線１３０は絶縁層によって被覆されておらず、錫メッキが施されている。かかる信号線１３０は、その直径が約２ｍｍであり、その被覆されていない信号線１３０をコイル１１１及び１２１が直接巻回している。さらに信号線１３０は、内径６ｍｍの絶縁チューブ１３３によって被覆されている。つまり、絶縁チューブ１３３は信号線１３０の一部と接触することはあっても全周にわたって接触した状態となることはなく、信号線１３０と絶縁チューブ１３３との間には隙間が存在する。
【００２６】
アース線１３２は絶縁層によって被覆されており、信号線１３０とは分離して設けられている。このように、本実施の形態に係るオーディオケーブル１００は、グランドされた金属製のシールドを有していない、非シールドケーブルである。
【００２７】
また、本実施の形態に係るコイル１１１のアース側端は、オーディオケーブル１００のアース線１３２に接続されている（図示せず）。これにより、かかるオーディオケーブル１００がオーディオ機器に接続されると、アース線１３２がオーディオ機器のアース線に接続され、図２に示すように高周波ノイズフィルタ１１０が接地される。
【００２８】
本実施の形態において、信号線１３０の直径は約２ｍｍであり、かかる信号線１３０は直径０．８ｍｍの錫メッキされた銅製の導線７本が撚られて構成されている。コイル１１１の巻き数は１００であり、コイル１１１の軸長方向の長さは３ｃｍである。かかるコイル１１１は単層コイル（重ね巻きしていないコイル）である。また、コイル１１１に使用されている巻き線材は、外側がエナメルで被覆された銅製の導線であり、直径が０．２６ｍｍである。絶縁チューブ１３３はコイル１１１を被覆するように配されており、コイル１１１の両端から延びる導線は、絶縁チューブ１３３の端部から延出している（図２参照）。
【００２９】
かかる高周波ノイズフィルタ１１０は、信号線１３０により伝送されるオーディオ信号に含まれる高周波ノイズを除去する。
【００３０】
次に、共振回路１２０の構成について詳細に説明する。共振回路１２０は、ＬＣ共振回路である。共振回路１２０に含まれるコイル１２１は、上記のコイル１１１と同様に、信号線１３０を直接巻回するように設けられている。また、コイル１１１と同様に、絶縁チューブ１３３はコイル１２１を被覆するように配されており、コイル１２１の両端から延びる導線は、絶縁チューブ１３３の端部から延出している（図示せず）。
【００３１】
本実施の形態において、コイル１２１は、コイル１１１と同様に、その巻き数が１００であり、軸長方向の長さが３ｃｍである。
【００３２】
かかる共振回路１２０は、信号線１３０により伝送されるオーディオ信号に含まれる特定周波数成分を除去する。具体的には、コイル１２１のインダクタンス（Ｌ成分）とコンデンサ１２２のキャパシタンス（Ｃ成分）とによって定まる共振周波数のノイズが除去される。この周波数は、ＣＤプレーヤ、ＭＤプレーヤ等のデジタルオーディオ機器の出力端子にオーディオケーブル１００を接続したときに、このデジタルオーディオ機器から出力されるオーディオ信号から、デジタルオーディオ信号をアナログオーディオ信号へ変換する際に生じるグリッチと呼ばれるノイズ等を除去することができる。
【００３３】
上記の高周波ノイズフィルタ１１０及び共振回路１２０は、信号線１３０及びアース線１３２とともに絶縁体に覆われており、これによって外部の衝撃等から保護されている。
【００３４】
上記のような構成とすることにより、オーディオケーブル１００の信号線１３０によって伝送されるオーディオ信号から高周波ノイズ及びグリッチを除去することができ、音質の劣化を効率的に防止することができる。
【００３５】
また、コイル１１１，１２１が信号線１３０の周囲を巻回するように構成したので、コイル１１１，１２１を信号線１３０と一体的に形成することができ、さらにコイル１１１，１２１を単層コイルとしたので、高周波ノイズフィルタ１１０及び共振回路１２０を設けることによりノイズを効果的に除去することができる。
【００３６】
（実施の形態２）
本実施の形態に係るオーディオケーブルは、信号線を巻回するコイルと複数のコンデンサからなるコンデンサ並列回路とが直列接続された高周波ノイズフィルタを備え、この高周波ノイズフィルタによって、信号線によって伝送されるオーディオ信号からノイズを除去するものである。
【００３７】
図３は本実施の形態に係るオーディオケーブルの構成を示す回路図である。図に示すように、本実施の形態に係るオーディオケーブル２００は、信号線２３０と、高周波ノイズフィルタ２１０とを備えている。
【００３８】
高周波ノイズフィルタ１１０は、コイル２１１と、コンデンサ並列回路２１２とを具備している。コンデンサ並列回路２１２は、複数のコンデンサ２１２ａ，２１２ｂ，２１２ｂ，２１２ｃ，２１２ｃ，２１２ｃ，２１２ｄが並列接続されて構成されている。かかるコンデンサ並列回路２１２はコイル２１１と直列接続されている。またコイル２１１は、後述するように信号線２３０を巻回している。
【００３９】
コンデンサ並列回路２１２に含まれるコンデンサ２１２ａは、静電容量が０．０００１μＦのコンデンサである。また、コンデンサ２１２ｂの静電容量は０．００１μＦであり、コンデンサ２１２ｃの静電容量は０．０１μＦであり、コンデンサ２１２ｄの静電容量は０．１μＦである。コンデンサ並列回路２１２は、１つのコンデンサ２１２ａと、２つのコンデンサ２１２ｂと、３つのコンデンサ２１２ｃと、１つのコンデンサ２１２ｄとによって構成されている。
【００４０】
さらに詳細には、高周波ノイズフィルタ２１０は、コンデンサ並列回路２１２の一端が接地され、他端がコイル２１１の一端と接続されている。またコイル２１１の他端は接地されている。ここで、コンデンサ２１２の接地側端及びコイル２１１の接地側端は、オーディオケーブル２００のアース線に接続されている（図示せず）。これにより、かかるオーディオケーブル２００がオーディオ機器に接続されると、オーディオケーブル２００のアース線がオーディオ機器のアース線に接続され、高周波ノイズフィルタ２１０が接地される。
【００４１】
実施の形態１と同様に、信号線２３０は錫メッキが施された直径約２ｍｍの銅製の導線であり、内径６ｍｍの絶縁チューブ１３３によって被覆されている。つまり、絶縁チューブは信号線２３０の一部と接触することはあっても全周にわたって接触した状態となることはなく、信号線２３０と絶縁チューブとの間には隙間が存在する。このように絶縁層によって全周が接触するように被覆されていない信号線２３０をコイル２１１が直接巻回している。なお、本実施の形態に係る高周波ノイズフィルタ２１０のその他の構成は、実施の形態１に係る高周波ノイズフィルタ１１０の構成と同様であるので、その説明を省略する。
【００４２】
本実施の形態に係るオーディオケーブル２００は、共振回路を備えていないので、小型化が可能である。また、ＦＭチューナー及びプリアンプ等のオーディオ信号のＤ／Ａ変換を行わないオーディオ機器にあっては、上記のようなＤ／Ａ変換に伴うグリッチが発生しないので、かかるオーディオ機器の出力端子にオーディオケーブル２００を接続することにより良好なノイズ除去効果を得ることができる。
【００４３】
また、コイル２１１が信号線２３０の周囲を巻回するように構成したので、コイル２１１を信号線２３０と一体的に形成することができ、さらにコイル２１１を単層コイルとしたので、高周波ノイズフィルタ２１０を設けることによりノイズを効果的に除去することができる。
【産業上の利用可能性】
【００４４】
本発明のオーディオケーブルは、２つのオーディオ機器間で音声に係る電気信号を伝送するためのオーディオケーブルとして有用である。
【符号の説明】
【００４５】
１００，２００      オーディオケーブル
１１０，２１０      高周波ノイズフィルタ
１１１，２１１      コイル
１１２，２１２      コンデンサ並列回路
１１２ａ〜１１２ｄ，２１２ａ〜２１２ｄ      コンデンサ
１２０      共振回路
１２１      コイル
１２２      コンデンサ並列回路
１２２ａ〜１２２ｅ      コンデンサ
１３０，２３０      信号線
１３２      アース線
１３３      絶縁チューブ
【図１】
2011018529.tif 000003
【図２】
2011018529.tif 000004
【図３】
2011018529.tif 000005